(57)【要約】【課題】移動先、または移動元のナースコール用パーソナルコンピュータに表示される全病室レイアウトを利用して、転科等によるベッド移動させたい患者を自動的に変更表示する。【解決手段】１つのナースコール制御機２１により管理されるナースコール用パーソナルコンピュータ３１および他のナースコール制御機２２、・・・により管理されるナースコール用パーソナルコンピュータ３２、・・・とともに相互にバス接続された管理サーバ７２は、移動元のナースコール用パーソナルコンピュータにてベッド移動処理／操作が行われた場合、空床状態を表示させるとともに予め記憶されている全病室レイアウトに患者のデータを追加する、一方、移動先のナースコール用パーソナルコンピュータにてベッド移動処理／操作が行われた場合、移動元の患者氏名を表示させるとともに予め記憶されている全病室レイアウトから患者のデータを削除する。【選択図】　図１
2004096409.tif 000002
【特許請求の範囲】
【請求項１】
病室内の各病床に設けられたナースコール子機（１ａ〜１ｄ、１ｅ〜１ｈ、・・・、２ａ〜２ｄ、２ｅ〜２ｈ、・・・、・・・）からの呼び出しを、病院内に設けられたナースコール制御機（８１、８２、・・・）を介して呼出情報として送信し、ナースステーション内に設けられたナースコール親機（２１、２２、・・・）にて前記呼出情報を通報し、前記ナースステーション内に設けられたナースコール用パーソナルコンピュータ（３１、３２、・・・）に予め記憶されている全病室レイアウトとともに患者氏名等の患者管理データおよび前記呼出情報を表示するナースコールシステムであって、
１つのナースコール制御機により管理される前記ナースコール用パーソナルコンピュータと他のナースコール制御機により管理される前記ナースコール用パーソナルコンピュータとをバス接続し、
転科等による患者のベッド移動のため、前記１つのナースコール制御機により管理される前記ナースコール用パーソナルコンピュータに表示する患者管理データを、前記他のナースコール制御機により管理される前記ナースコール用パーソナルコンピュータに表示するベッドに移動させる際に、移動元のナースステーション内でベッド移動処理を行った場合、移動先の空床状態を表示し、移動元のベッド移動操作により移動先の前記ナースコール用パーソナルコンピュータの全病室レイアウトに当該患者のデータを追加するための管理サーバ（７２）を備えたことを特徴とするナースコールシステム。
【請求項２】
前記ナースコール用パーソナルコンピュータにおける前記移動先の空床状態の表示は、選択した特定のベッドのみ表示することを特徴とする請求項１記載のナースコールシステム。
【請求項３】
前記ナースコール用パーソナルコンピュータにおける前記移動先の空床状態の表示は、移動先の看護区域の全てのベッドの空床状態を表示することを特徴とする請求項１記載のナースコールシステム。
【請求項４】
前記ナースコール用パーソナルコンピュータにおける前記移動先の看護区域の全てのベッドの空床状態の表示は、前記ナースコール用パーソナルコンピュータに予め記憶されている全病室レイアウトとともに表示することを特徴とする請求項３記載のナースコールシステム。
【請求項５】
病室内の各病床に設けられたナースコール子機（１ａ〜１ｄ、１ｅ〜１ｈ、・・・、２ａ〜２ｄ、２ｅ〜２ｈ、・・・、・・・）からの呼び出しを、病院内に設けられたナースコール制御機（８１、８２、・・・）を介して呼出情報として送信し、ナースステーション内に設けられたナースコール親機（２１、２２、・・・）にて前記呼出情報を通報し、前記ナースステーション内に設けられたナースコール用パーソナルコンピュータ（３１、３２、・・・）に予め記憶されている全病室レイアウトとともに患者氏名等の患者管理データおよび前記呼出情報を表示するナースコールシステムであって、
１つのナースコール制御機により管理される前記ナースコール用パーソナルコンピュータと他のナースコール制御機により管理される前記ナースコール用パーソナルコンピュータとをバス接続し、
転科等による患者のベッド移動のため、前記１つのナースコール制御機により管理される前記ナースコール用パーソナルコンピュータに表示する患者管理データを、前記他のナースコール制御機により管理される前記ナースコール用パーソナルコンピュータに表示するベッドに移動させる際に、移動先のナースステーション内でベッド移動処理を行った場合、移動元の患者氏名を表示し、移動先のベッド移動操作により移動元の前記ナースコール用パーソナルコンピュータの全病室レイアウトから当該患者のデータを削除するための管理サーバ（７２）を備えたことを特徴とするナースコールシステム。
【請求項６】
前記ナースコール用パーソナルコンピュータにおける前記移動元の患者氏名の表示は、選択した特定のベッドのみを表示することを特徴とする請求項５記載のナースコールシステム。
【請求項７】
前記ナースコール用パーソナルコンピュータにおける前記移動元の患者氏名の表示は、移動元の看護区域の全てのベッドの患者氏名を表示することを特徴とする請求項５記載のナースコールシステム。
【請求項８】
前記ナースコール用パーソナルコンピュータにおける前記移動元の看護区域の全てのベッドの患者氏名の表示は、前記ナースコール用パーソナルコンピュータに予め記憶されている全病室レイアウトとともに表示することを特徴とする請求項７記載のナースコールシステム。
【請求項９】
前記ナースコール用パーソナルコンピュータにおける前記移動元の看護区域の全てのベッドの患者氏名の表示は、氏名の頭文字等の検索手段を有することを特徴とする請求項７記載のナースコールシステム。
【発明の詳細な説明】
【０００１】
【発明の属する技術分野】
本発明はナースコールシステムに係り、特に、転科等による患者のベッド移動のためのベッド移動処理／操作を簡素化し、病院内の看護師による看護業務の能率を向上させたナースコールシステムに関する。
【０００２】
【従来の技術】
従来から、この種のナースコールシステムとして、図１２の構成図に示すナースコールシステムが提案されている。
【０００３】
図１２の構成図に示すナースコールシステムは、病院内で同一の看護区域とされる病棟毎、ここでは、１階、２階、・・・のような各階の病室毎、例えば、１０１号室内、１０２号室内、・・・、２０１号室、２０２号室、・・・　・・・の各ベッドの所定の位置であるベッドサイドに設けられたナースコール子機、ここでは、病室毎４台づつのナースコール子機１０１ａ〜１０１ｄ、１０１ｅ〜１０１ｈ、・・・、１０２ａ〜１０２ｄ、１０２ｅ〜１０２ｈ、・・・、・・・と、各病室の出入口近傍（付近）に設けられており、子機接続線Ｌ１０１ａ〜Ｌ１０１ｄ、Ｌ１０１ｅ〜Ｌ１０１ｈ、・・・、Ｌ１０２ａ〜Ｌ１０２ｄ、Ｌ１０２ｅ〜Ｌ１０２ｈ、・・・、・・・を介して接続されたナースコール子機１０１ａ〜１０１ｄ、１０１ｅ〜１０１ｈ、・・・、１０２ａ〜１０２ｄ、１０２ｅ〜１０２ｈ、・・・、・・・をそれぞれ制御するための集合廊下灯１１１ａ、１１１ｂ、・・・、１１２ａ、１１２ｂ、・・・、・・・と、各階のナースステーション内に設けられたナースコール親機１２１、１２２、・・・および当該ナースコール親機にコンピュータ接続線Ｌ１１１、Ｌ１１２、・・・を介してそれぞれ接続されたナースコール用パーソナルコンピュータ１３１、１３２、・・・と、医療従事者の主体をなす医師や看護師のうち、ここでは、各階を巡回中の看護師によりそれぞれ携帯されている複数の無線子機、例えば、ＰＨＳ端末等の無線子機１４１ａ、１４１ｂ、・・・、１４２ａ、１４２ｂ、・・・、・・・と、各階に設けられており、無線子機１４１ａ、１４１ｂ、・・・、１４２ａ、１４２ｂ、・・・、・・・をそれぞれ無線制御するための無線基地局１５１、１５２、・・・と、各階に設けられており、基地局接続線Ｌ１３１、Ｌ１３２、・・・を介して接続された無線基地局１５１、１５２、・・・をそれぞれ制御するためのデジタル方式の交換機（以下、ＰＢＸという。）１６１、１６２、・・・と、廊下灯接続幹線Ｌ１４１、Ｌ１４２、・・・を介して集合廊下灯１１１ａ、１１１ｂ、・・・、１１２ａ、１１２ｂ、・・・、・・・、親機接続線Ｌ１５１、Ｌ１５２、・・・を介してナースコール親機１２１、１２２、・・・、ＰＢＸ接続線Ｌ１６１、Ｌ１６２、・・・を介してＰＢＸ１６１、１６２、・・・をそれぞれ接続する中継器として各階に設けられており、接続された集合廊下灯１１１ａ、１１１ｂ、・・・、１１２ａ、１１２ｂ、・・・、・・・、ナースコール親機１２１、１２２、・・・、ＰＢＸ１６１、１６２、・・・をそれぞれ制御するためのナースコール制御機１７１、１７２、・・・とで構成されている。
【０００４】
このように構成された従来例のナースコールシステムにおいて、病室内の患者、ここでは、１０１号室内でナースコール子機１０１ａがベッドサイドに設けられている患者からの通常呼び出し（ナースコール呼び出し）があった場合、１階のナースステーション内に設けられたナースコール親機１２１およびナースコール用パーソナルコンピュータ１３１のうち、ナースコール親機１２１では、ナースコール子機１０１ａより送信され、子機接続線Ｌ１０１ａ、集合廊下灯１１１ａ、廊下灯接続幹線Ｌ１４１、ナースコール制御機１７１、親機接続線Ｌ１５１を介して適宜、データ処理（詳述せず）され伝送されてくる呼出情報を受信し、受信した呼出情報に包含されている呼出種別、病室番号およびベッド番号に基づき、呼出元のベッドを示す表示灯を、呼出種別をなす通常呼び出しに応じた表示色で点滅／点灯させるとともに、所定の呼出音、例えば、呼出種別をなす通常呼び出しに応じた呼出音をスピーカより鳴動させて呼出表示／発報を行う。一方、ナースコール用パーソナルコンピュータ１３１では、ナースコール子機１０１ａより送信され、子機接続線Ｌ１０１ａ、集合廊下灯１１１ａ、廊下灯接続幹線Ｌ１４１、ナースコール制御機１７１、親機接続線Ｌ１５１、ナースコール親機１２１、コンピュータ接続線Ｌ１１１を介して適宜、データ処理（詳述せず）され伝送されてくる呼出情報を受信し、受信した呼出情報に包含されている呼出種別、病室番号およびベッド番号に基づき、モニタ画面に予め表示されている全病室レイアウトを利用して、呼出元である１０１号室内のナースコール子機１０１ａに該当するベッドを、呼出種別をなす通常呼び出しに応じた表示色で点滅／点灯させて呼出表示を行う。
【０００５】
また、１０１号室内でナースコール子機１０１ａがベッドサイドに設けられている患者からの通常呼び出しがあった場合、１階を巡回中の看護師によりそれぞれ携帯されている無線子機１４１ａ、１４１ｂ、・・・では、ナースコール子機１０１ａより送信され、子機接続線Ｌ１０１ａ、集合廊下灯１１１ａ、廊下灯接続幹線Ｌ１４１、ナースコール制御機１７１、ＰＢＸ接続線Ｌ１６１、ＰＢＸ１６１、基地局接続線Ｌ１３１、無線基地局１５１を介して適宜、データ処理（詳述せず）され伝送されてくる呼出情報を受信し、受信した呼出情報に包含されている無線子機番号と自端末に予め割り当てられている無線子機番号とを照合し、一致した場合にのみ、受信した呼出情報に包含されている呼出種別、表示データが有効であると判断して、呼出種別、病室番号およびベッド番号を表示部に表示させるとともに、所定の呼出音、例えば、呼出種別をなす通常呼び出しに応じた呼出音をスピーカより鳴動させて呼出表示／発報を行う。
【０００６】
なお、従来例のナースコールシステムにおいて、上述のような呼出表示／発報が行われるナースコール用パーソナルコンピュータ１３１、１３２、・・・では、呼出元のナースコール子機に該当するベッドを呼出種別に応じた表示色で点滅／点灯させる他に、呼出元の患者に関する患者情報としての患者管理データをポップアップで表示させることもできる。
【０００７】
また、従来例のナースコールシステムにおいて、各階に設けられたナースコール制御機１７１、１７２、・・・を相互にバス接続（図示せず）することにより、ナースコール子機１０１ａ〜１０１ｄ、１０１ｅ〜１０１ｈ、・・・、１０２ａ〜１０２ｄ、１０２ｅ〜１０２ｈ、・・・、・・・からの呼び出しがあった場合、呼出表示／発報が行われる当該ナースコール親機、ナースコール用パーソナルコンピュータおよび無線子機は、呼出元のナースコール子機が設けられた病室と同一階、すなわち、同一の看護区域の当該ナースコール親機、ナースコール用パーソナルコンピュータおよび無線子機のみならず、ナースコール制御機１７１、１７２、・・・の制御により、他の看護区域の当該ナースコール親機、ナースコール用パーソナルコンピュータおよび無線子機のように任意に選択できる。
【０００８】
【発明が解決しようとする課題】
しかしながら、従来例のナースコールシステムでは、各階のナースステーション内に設けられたナースコール用パーソナルコンピュータ１３１、１３２、・・・のモニタ画面に表示させるデータとして、全病室レイアウトの利用による呼出表示、すなわち、呼出元に該当するベッドを呼出種別に応じた表示色で点滅／点灯させる他に、呼出元の患者に関する患者情報としての患者管理データを表示させることも可能であるが、転科等による患者のベッド移動のため、ナースコール用パーソナルコンピュータ１３１、１３２、・・・に表示させる患者管理データを他のベッドに割り当てて移動させる場合には、移動元のベッドが表示されている当該ナースコール用パーソナルコンピュータにて一旦、退院処理を行った後、移動先のベッドを表示すべき当該ナースコール用パーソナルコンピュータにて入院処理を行う必要がある。また、同一の患者が複数のベッドの利用により入院している場合等の操作ミスを防止するため、入院処理は退院処理前に行うことができず、しかも、移動元のベッドと移動先のベッドとが別の看護区域である別階にそれぞれ設けられている場合のベッド移動を行うにあたっては、移動元のナースステーション内での退院処理完了後に内線電話等を利用して退院処理完了を移動先のナースステーションに連絡し、この電話を受けた看護師が移動先にて入院処理を行わなければならず、非常に繁雑な作業を必要とする難点があった。
【０００９】
本発明は、上述の難点を解消するためになされたもので、移動先、または移動元のナースコール用パーソナルコンピュータに表示される全病室レイアウトを利用して、転科等によるベッド移動させたい患者を自動的に変更表示できるナースコールシステムを提供することを目的としている。
【００１０】
【課題を解決するための手段】
上述の目的を達成するため、本発明のナースコールシステムは、病室内の各病床に設けられたナースコール子機からの呼び出しを、病院内に設けられたナースコール制御機を介して呼出情報として送信し、ナースステーション内に設けられたナースコール親機にて呼出情報を通報し、ナースステーション内に設けられたナースコール用パーソナルコンピュータに予め記憶されている全病室レイアウトとともに患者氏名等の患者管理データおよび呼出情報を表示するものである。１つのナースコール制御機により管理されるナースコール用パーソナルコンピュータと他のナースコール制御機により管理されるナースコール用パーソナルコンピュータとをバス接続する。転科等による患者のベッド移動のため、１つのナースコール制御機により管理されるナースコール用パーソナルコンピュータに表示する患者管理データを、他のナースコール制御機により管理されるナースコール用パーソナルコンピュータに表示するベッドに移動させる際に、移動元のナースステーション内でベッド移動処理を行った場合、移動先の空床状態を表示し、移動元のベッド移動操作により移動先のナースコール用パーソナルコンピュータの全病室レイアウトに当該患者のデータを追加するための管理サーバを備えている。
【００１１】
このようなナースコールシステムによれば、移動元のナースステーション内に設けられたナースコール用パーソナルコンピュータにてベッド移動処理を行うと、このナースコール用パーソナルコンピュータのモニタ画面に移動先の空床状態を表示できるばかりでなく、これを確認した後、ベッド移動操作を行うと、移動先のナースステーション内に設けられたナースコール用パーソナルコンピュータに予め記憶されている全病室レイアウトにベッド移動させたい患者を追加（追加登録）できる。
【００１２】
また、本発明のナースコールシステムにおいて、ナースコール用パーソナルコンピュータにおける移動先の空床状態の表示は、選択した特定のベッドのみ表示するものである。
【００１３】
このようなナースコールシステムによれば、移動元のナースステーション内に設けられたナースコール用パーソナルコンピュータにてベッド移動処理を行うと、このナースコール用パーソナルコンピュータのモニタ画面には、移動先の選択した特定のベッドのみの空床状態が表示されるため、移動先が決定している場合の迅速なベッド移動操作が可能となる。
【００１４】
また、本発明のナースコールシステムにおいて、ナースコール用パーソナルコンピュータにおける移動先の空床状態の表示は、移動先の看護区域の全てのベッドの空床状態を表示するものである。
【００１５】
このようなナースコールシステムによれば、移動元のナースステーション内に設けられたナースコール用パーソナルコンピュータにてベッド移動処理を行うと、このナースコール用パーソナルコンピュータのモニタ画面には、移動先の看護区域の全てのベッドの空床状態が表示されるため、移動先が決定していない場合でも迅速なベッド移動操作が可能となる。
【００１６】
また、本発明のナースコールシステムにおいて、ナースコール用パーソナルコンピュータにおける移動先の看護区域の全てのベッドの空床状態の表示は、ナースコール用パーソナルコンピュータに予め記憶されている全病室レイアウトとともに表示するものである。
【００１７】
このようなナースコールシステムによれば、移動元のナースステーション内に設けられたナースコール用パーソナルコンピュータにてベッド移動処理を行うと、このナースコール用パーソナルコンピュータのモニタ画面には、移動先の看護区域の全てのベッドの空床状態が当該ナースコール用パーソナルコンピュータに予め記憶されている全病室レイアウトとともに表示されるため、移動先が決定していない場合でも視認性を向上させた状態で迅速なベッド移動操作が可能となる。
【００１８】
また、本発明のナースコールシステムは、病室内の各病床に設けられたナースコール子機からの呼び出しを、病院内に設けられたナースコール制御機を介して呼出情報として送信し、ナースステーション内に設けられたナースコール親機にて呼出情報を通報し、ナースステーション内に設けられたナースコール用パーソナルコンピュータに予め記憶されている全病室レイアウトとともに患者氏名等の患者管理データおよび呼出情報を表示するものである。１つのナースコール制御機により管理されるナースコール用パーソナルコンピュータと他のナースコール制御機により管理されるナースコール用パーソナルコンピュータとをバス接続する。転科等による患者のベッド移動のため、１つのナースコール制御機により管理されるナースコール用パーソナルコンピュータに表示する患者管理データを、他のナースコール制御機により管理されるナースコール用パーソナルコンピュータに表示するベッドに移動させる際に、移動先のナースステーション内でベッド移動処理を行った場合、移動元の患者氏名を表示し、移動先のベッド移動操作により移動元のナースコール用パーソナルコンピュータの全病室レイアウトから当該患者のデータを削除するための管理サーバを備えている。
【００１９】
このようなナースコールシステムによれば、移動先のナースステーション内に設けられたナースコール用パーソナルコンピュータにてベッド移動処理を行うと、このナースコール用パーソナルコンピュータのモニタ画面に移動元の患者氏名を表示できるばかりでなく、これを確認した後、ベッド移動操作を行うと、移動元のナースステーション内に設けられたナースコール用パーソナルコンピュータに予め記憶されている全病室レイアウトよりベッド移動させたい患者を削除できる。
【００２０】
また、本発明のナースコールシステムにおいて、ナースコール用パーソナルコンピュータにおける移動元の患者氏名の表示は、選択した特定のベッドのみを表示するものである。
【００２１】
このようなナースコールシステムによれば、移動先のナースステーション内に設けられたナースコール用パーソナルコンピュータにてベッド移動処理を行うと、このナースコール用パーソナルコンピュータのモニタ画面には、移動元の選択した特定のベッドのみの患者氏名が表示されるため、ベッド移動元、すなわち、ベッド移動させたい患者のベッド番号が判明している場合に迅速なベッド移動操作が可能となる。
【００２２】
また、本発明のナースコールシステムにおいて、ナースコール用パーソナルコンピュータにおける移動元の患者氏名の表示は、移動元の看護区域の全てのベッドの患者氏名を表示するものである。
【００２３】
このようなナースコールシステムによれば、移動先のナースステーション内に設けられたナースコール用パーソナルコンピュータにてベッド移動処理を行うと、このナースコール用パーソナルコンピュータのモニタ画面には、移動元の全てのベッドの患者氏名が表示されるため、ベッド移動させたい患者の患者氏名が判明している、一方、ベッド番号を確認できない場合でも迅速なベッド移動操作が可能となる。
【００２４】
また、本発明のナースコールシステムにおいて、ナースコール用パーソナルコンピュータにおける移動元の看護区域の全てのベッドの患者氏名の表示は、ナースコール用パーソナルコンピュータに予め記憶されている全病室レイアウトとともに表示するものである。
【００２５】
このようなナースコールシステムによれば、移動先のナースステーション内に設けられたナースコール用パーソナルコンピュータにてベッド移動処理を行うと、このナースコール用パーソナルコンピュータのモニタ画面には、移動元の全てのベッドの患者氏名が当該ナースコール用パーソナルコンピュータに予め記憶されている全病室レイアウトとともに表示されるため、ベッド移動させたい患者の患者氏名および移動元が正確に判明していない場合でも視認性が高い状態で迅速なベッド移動操作が可能となる。
【００２６】
また、本発明のナースコールシステムにおいて、ナースコール用パーソナルコンピュータにおける移動元の看護区域の全てのベッドの患者氏名の表示は、氏名の頭文字等の検索手段を有する。
【００２７】
このようなナースコールシステムによれば、移動先のナースステーション内に設けられたナースコール用パーソナルコンピュータにてベッド移動処理を行うと、このナースコール用パーソナルコンピュータのモニタ画面には、移動元の全てのベッドの患者氏名の頭文字を検索するための画面が表示されるため、ベッド移動させたい患者の患者氏名が判明している、一方、ベッド番号が確認できない場合でも迅速なベッド移動操作が可能となる。
【００２８】
【発明の実施の形態】
以下、本発明のナースコールシステムを適用した好ましい形態の実施例について、図面を参照して説明する。
【００２９】
図１は、本発明の実施例によるナースコールシステムを示す構成図である。
【００３０】
図１の構成図に示すナースコールシステムは、病院内で同一の看護区域とされる病棟毎、ここでは、１階、２階、・・・のような各階の病室毎、例えば、病室番号が「１０１」、「１０２」、・・・、「２０１」、「２０２」、・・・、・・・のように予め割り当てられている１０１号室内、１０２号室内、・・・、２０１号室、２０２号室、・・・　・・・の各ベッドの所定の位置であるベッドサイドに設けられており、医療従事者をなす医師や看護師のうち、ここでは、各階のナースステーション内に居る看護師や後述する無線子機４１ａ、４１ｂ、・・・、４２ａ、４２ｂ、・・・　・・・をそれぞれ携帯しながら各階を巡回中の看護師に対して呼出種別が異なる呼び出し、例えば、通常呼び出し（ナースコール呼び出し）、緊急を要する緊急呼び出し等を病床の患者が行い、この患者が呼出相手先の看護師との間で通話を成立させるためのナースコール子機、ここでは、病室毎４台づつ設けられており、各病室内においてベッド番号が「１」のナースコール子機１ａ、１ｅ、・・・、２ａ、２ｅ、・・・、・・・、ベッド番号が「２」のナースコール子機１ｂ、１ｆ、・・・、２ｂ、２ｆ、・・・、・・・、ベッド番号が「３」のナースコール子機１ｃ、１ｇ、・・・、２ｃ、２ｇ、・・・、・・・、ベッド番号が「４」のナースコール子機１ｄ、１ｈ、・・・、２ｄ、２ｈ、・・・、・・・と、各病室の出入口近傍（付近）に設けられており、子機接続線Ｌ１ａ〜Ｌ１ｄ、Ｌ１ｅ〜Ｌ１ｈ、・・・、Ｌ２ａ〜Ｌ２ｄ、Ｌ２ｅ〜Ｌ２ｈ、・・・、・・・を介して接続されているナースコール子機１ａ〜１ｄ、１ｅ〜１ｈ、・・・、２ａ〜２ｄ、２ｅ〜２ｈ、・・・、・・・からの呼出種別、ベッド番号が包含された呼出情報に、自端末にて設定（詳述せず）される病室番号および呼出相手先の端末としての親機番号を包含させた呼出情報を送信するための集合廊下灯１１ａ、１１ｂ、・・・、１２ａ、１２ｂ、・・・　・・・と、各階のナースステーション内に設けられており、集合廊下灯１１ａ、１１ｂ、・・・、１２ａ、１２ｂ、・・・　・・・からの呼出情報を受信して呼出表示／発報を行うとともに、当該ナースステーション内に居る看護師が呼出元の患者との間で通話を成立させるためのナースコール親機２１、２２、・・・と、コンピュータ接続線Ｌ１１、Ｌ１２、・・・を介して接続されたナースコール親機２１、２２、・・・とともに各階のナースステーション内に設けらているとともに、コンピュータ接続幹線Ｌ２０を介して相互にバス接続されており、予め記憶されている全病室レイアウトおよび集合廊下灯１１ａ、１１ｂ、・・・、１２ａ、１２ｂ、・・・　・・・からの呼出情報等を表示するためのナースコール用パーソナルコンピュータ３１、３２、・・・と、各階を巡回中の看護師によりそれぞれ携帯されており、集合廊下灯１１ａ、１１ｂ、・・・、１２ａ、１２ｂ、・・・　・・・からの呼出情報を受信して呼出表示／発報を行うとともに、この看護師が呼出元の患者との間で通話を成立させるための複数の無線子機、例えば、ＰＨＳ端末等の無線子機４１ａ、４１ｂ、・・・、４２ａ、４２ｂ、・・・、・・・と、各階に設けられており、無線子機４１ａ、４１ｂ、・・・、４２ａ、４２ｂ、・・・、・・・をそれぞれ無線制御するための無線基地局５１、５２、・・・と、各階に設けられており、基地局接続線Ｌ３１、Ｌ３２、・・・を介して接続された無線基地局５１、５２、・・・をそれぞれ制御するためのデジタル方式の交換機（以下、ＰＢＸという。）６１、６２、・・・と、患者氏名、病名等の患者管理データが予め記憶されているオーダリングシステム７０と、オーダリングシステム接続線Ｌ２１を介してオーダリングシステム７０に接続されており、当該オーダリングシステム７０とゲートウェイ接続線Ｌ２２を介して接続された後述する管理サーバ７２との間のデータ送受信を行うためのゲートウェイ７１と、ナースコール用パーソナルコンピュータ３１、３２、・・・を相互にバス接続するコンピュータ接続幹線Ｌ２０にバス接続されており、当該ナースコール用パーソナルコンピュータに表示させる諸データを管理するための管理サーバ７２と、廊下灯接続幹線Ｌ４１、Ｌ４２、・・・を介して集合廊下灯１１ａ、１１ｂ、・・・、１２ａ、１２ｂ、・・・　・・・、親機接続線Ｌ５１、Ｌ５２、・・・を介してナースコール親機２１、２２、・・・、ＰＢＸ接続線Ｌ６１、Ｌ６２、・・・を介してＰＢＸ６１、６２、・・・をそれぞれ接続する中継器として各階に設けられており、接続された集合廊下灯１１ａ、１１ｂ、・・・、１２ａ、１２ｂ、・・・　・・・、ナースコール親機２１、２２、・・・、ＰＢＸ６１、６２、・・・をそれぞれ制御するためのナースコール制御機８１、８２、・・・とで構成されている。
【００３１】
このように構成された本発明の実施例によるナースコールシステムにおいて、以下、具体的な動作について説明する。
【００３２】
なお、本発明の実施例によるナースコールシステムにおいて、病室内の患者によるナースコール子機１ａ〜１ｄ、１ｅ〜１ｈ、・・・、２ａ〜２ｄ、２ｅ〜２ｈ、・・・、・・・からの呼び出しがあった場合の呼出表示／発報の動作は、従来例の該当動作と同様であることにより説明は省略する。
【００３３】
先ず、転科等による患者のベッド移動、ここでは、１０１号室内でナースコール子機１ａがベッドサイドに設けられている患者、例えば、患者氏名「山田太郎」の患者が、他の看護区域である２０１号室内でナースコール子機２ｄが設けられているベッドサイドにベッド移動する際において、移動元の１０１号室に該当する看護区域と同一階である１階のナースステーション内に居る看護師がナースコール用パーソナルコンピュータ３１を利用してベッド移動処理／操作を行う場合の動作（以下、当該動作を本発明の実施例による第１の動作という。）について説明する。
【００３４】
ベッド移動させたい患者氏名「山田太郎」の患者に対するベッド移動処理／操作として、図１の構成図に示すナースコール用パーソナルコンピュータ３１のモニタ画面に、待受画面として予め表示されている図２の画面構成図に示す患者情報表示ボタン９０を、１階のナースステーション内に居る看護師（以下、この看護師を第１の看護師という。）が当該ナースコール用パーソナルコンピュータの操作機能を構成するマウス、またはタッチパネルを操作して選択すると、患者情報表示ボタン９０の表示色が変化、例えば、反転表示して患者選択が可能な状態となる。この後、ベッド移動させたい患者の患者氏名「山田太郎」を、第１の看護師が上述の操作機能を利用して選択すると、ナースコール用パーソナルコンピュータ３１のモニタ画面は、図２の画面構成図に示すモニタ画面から図３の画面構成図に示すモニタ画面へ切り替わり、ベッド移動させたい患者氏名「山田太郎」の患者に関する患者管理データがウィンドウ９１として拡大表示される。
【００３５】
また、図１の構成図において、ナースコール用パーソナルコンピュータ３１のモニタ画面に拡大表示されている図３の画面構成図に示すウィンドウ９１の移動ボタン（以下、第１の移動ボタンという。）９１ａを、第１の看護師が上述の操作機能を利用して選択すると、管理サーバ７２の選局アドレスと当該管理サーバより他の看護区域、すなわち、２階、３階、・・・の看護区域一覧情報を読み出すための制御データとを含む要求信号Ｓ１がコンピュータ接続幹線Ｌ２０に出力される。この要求信号Ｓ１は、コンピュータ接続幹線Ｌ２０を介してナースコール用パーソナルコンピュータ３１を除く他のナースコール用パーソナルコンピュータ３２、・・・と管理サーバ７２とにそれぞれ伝送されるが、管理サーバ７２のみ当該要求信号に含まれている選局アドレスと自端末アドレスとが一致して制御データが有効であると判断される。ここで、管理サーバ７２は、予め記憶されているゲートウェイ接続線Ｌ２２、ゲートウェイ７１、オーダリングシステム接続線Ｌ２１を介してオーダリングシステム７０より定期的に取得した全階の看護区域一覧情報のうち、要求された２階、３階、・・・の看護区域一覧情報を読み出し、この読出データとナースコール用パーソナルコンピュータ３１の選局アドレスとを含む読出信号Ｓ１１をコンピュータ接続幹線Ｌ２０に出力する。この読出信号Ｓ１１は、コンピュータ接続幹線Ｌ２０を介して（全ての）ナースコール用パーソナルコンピュータ３１、３２、・・・にそれぞれ伝送されるが、ナースコール用パーソナルコンピュータ３１のみ当該読出信号に含まれている選局アドレスと自端末アドレスとが一致して読出データが有効であると判断されることにより、ナースコール用パーソナルコンピュータ３１のモニタ画面には、２階、３階、・・・の看護区域一覧情報（図示せず）が表示（拡大表示）される。
【００３６】
また、図１の構成図において、ナースコール用パーソナルコンピュータ３１のモニタ画面に表示（拡大表示）されている２階、３階、・・・の看護区域一覧情報（図示せず）のうち、移動先の２０１号室に該当する２階の看護区域一覧情報を、第１の看護師が上述の操作機能を利用して選択すると、管理サーバ７２の選局アドレスと当該管理サーバより２階の病室一覧情報を読み出すための制御データとを含む要求信号Ｓ２がコンピュータ相互接続幹線Ｌ２０に出力される。この要求信号Ｓ２は、上述の要求信号Ｓ１と同様な経路を介して伝送される伝送先のナースコール用パーソナルコンピュータ３１を除く他のナースコール用パーソナルコンピュータ３２、・・・および管理サーバ７２のうち、管理サーバ７２のみ当該要求信号に含まれている選局アドレスと自端末アドレスとが一致することにより、要求信号Ｓ２に含まれている制御データを有効である判断した管理サーバ７２は、ゲートウェイ接続線Ｌ２２、ゲートウェイ７１、予め記憶されているオーダリングシステム接続線Ｌ２１を介してオーダリングシステム７０より定期的に取得した２階の病室一覧情報を読み出し、この読出データとナースコール用パーソナルコンピュータ３１の選局アドレスとを含む読出信号Ｓ１２をコンピュータ接続幹線Ｌ２０に出力する。この読出信号Ｓ１２は、上述の読出信号Ｓ１１と同様な経路を介して伝送される伝送先の（全ての）ナースコール用パーソナルコンピュータ３１、３２、・・・のうち、ナースコール用パーソナルコンピュータ３１のみ当該読出信号に含まれている選局アドレスと自端末アドレスとが一致して読出データが有効である判断されることにより、ナースコール用パーソナルコンピュータ３１のモニタ画面には、２階の病室一覧情報（図示せず）が表示（拡大表示）される。
【００３７】
また、図１の構成図において、ナースコール用パーソナルコンピュータ３１のモニタ画面に表示（拡大表示）されている２階の病室一覧情報（図示せず）のうち、移動先の２０１号室内でナースコール子機２ｄに割り当てられたベッド番号「４」を、第１の看護師が上述の操作機能を利用して入力すると、管理サーバ７２の選局アドレスと当該管理サーバより２０１号室のベッド番号「４」に該当するベッド情報を読み出すための制御データとを含む要求信号Ｓ３がコンピュータ接続幹線Ｌ２０に出力される。この要求信号Ｓ３は、上述の要求信号Ｓ１、Ｓ２と同様な経路を介して伝送される伝送先のナースコール用パーソナルコンピュータ３１を除く他のナースコール用パーソナルコンピュータ３２、・・・および管理サーバ７２のうち、管理サーバ７２のみ当該要求信号に含まれている選局アドレスと自端末アドレスとが一致することにより、要求信号Ｓ３に含まれている制御データを有効である判断した管理サーバ７２は、予め記憶されているゲートウェイ接続線Ｌ２２、ゲートウェイ７１、オーダリングシステム接続線Ｌ２１を介してオーダリングシステム７０より定期的に取得した２０１号室のベッド番号「４」に該当するベッド情報、例えば、移動先のベッドに他の患者が予め割り当てられているか否か、割り当てられている場合には患者の判別情報等のベッド情報を読み出し、この読出データおよびナースコール用パーソナルコンピュータ３１の選局アドレスとを含む読出信号Ｓ１３をコンピュータ接続幹線Ｌ２０に出力する。この読出信号Ｓ１３は、上述の読出信号Ｓ１１、Ｓ１２と同様な経路を介して伝送される伝送先の（全ての）ナースコール用パーソナルコンピュータ３１、３２、・・・のうち、ナースコール用パーソナルコンピュータ３１のみ当該読出信号に含まれている選局アドレスと自端末アドレスとが一致して読出データが有効である判断されることにより、ナースコール用パーソナルコンピュータ３１のモニタ画面は、図４の画面構成図、または図５の画面構成図に示すモニタ画面へ切り替わり、例えば、移動先のベッドに他の患者が予め割り当てられている場合には、図４の画面構成図に示すように、ベッド番号「４」に他の患者、例えば、患者氏名「鈴木花子」の患者が入院中である旨の警告メッセージをウィンドウ９２として拡大表示することにより、ベッド移動時による同一ベッドへの重複する患者の割り当てを防止できる、一方、移動先のベッドに他の患者が予め割り当てられていない場合、すなわち、空床状態の場合には、図５の画面構成図に示すようなウィンドウ９３で拡大表示され、上述の警告メッセージは非表示となる。
【００３８】
さらに、図１の構成図において、ナースコール用パーソナルコンピュータ３１のモニタ画面に図５の画面構成図に示すウィンドウ９３が拡大表示されている状態において、このウィンドウ９３の移動ボタン（以下、第２の移動ボタンという。）９３ａを、第１の看護師が上述の操作機能を利用して選択すると、ナースコール用パーソナルコンピュータ３１のモニタ画面は、図５の画面構成図に示すモニタ画面から図６の画面構成図に示すモニタ画面へ切り替わり、待受画面としてベッド移動させたい患者の患者氏名「山田太郎」は自動的に削除されるとともに、当該ナースコール用パーソナルコンピュータは、管理サーバ７２の選局アドレスと登録データとを含む登録信号Ｓ４がコンピュータ接続幹線Ｌ２０に出力する。この登録信号Ｓ４は、上述の要求信号Ｓ１、Ｓ２、Ｓ３と同様な経路を介して伝送される伝送先のナースコール用パーソナルコンピュータ３１を除く他のナースコール用パーソナルコンピュータ３２、・・・および管理サーバ７２のうち、管理サーバ７２のみ当該登録信号に含まれている選局アドレスと自端末アドレスとが一致することにより、登録信号Ｓ４に含まれている登録データが管理サーバ７２に記憶されるとともに、この管理サーバ７２は、移動先の２０１号室と同一階である２階のナースステーション内に設けられたナースコール用パーソナルコンピュータ３２の選局アドレスと登録データとを含む患者データ登録信号Ｓ１４をコンピュータ接続幹線Ｌ２０に出力する。この患者データ登録信号Ｓ１４は、上述の読出信号Ｓ１１、Ｓ１２、Ｓ１３と同様な経路を介して伝送される伝送先の（全ての）ナースコール用パーソナルコンピュータ３１、３２、・・・のうち、ナースコール用パーソナルコンピュータ３２のみ当該患者データ登録信号に含まれている選局アドレスと自端末アドレスとが一致して登録データを有効である判断することにより、ナースコール用パーソナルコンピュータ３２のモニタ画面に表示される待受画面には、図７の画面構成図に示すように、ベッド移動させたい患者の患者氏名「山田太郎」が２０１号室内でベッド番号が「４」のベッドに該当する表示部へ自動的に追加（追加登録）される。
【００３９】
なお、本発明の実施例による第１の動作における転科等による患者のベッド移動、ここでは、１０１号室内でナースコール子機１ａがベッドサイドに設けられている患者、例えば、患者氏名「山田太郎」の患者が、他の看護区域である２０１号室内でナースコール子機２ｄが設けられているベッドサイドにベッド移動する際において、ナースコール用パーソナルコンピュータ３１のモニタ画面に表示されるベッドの空床状態は、選択した特定のベッドのみを表示させたが、これに限定されず、移動先の看護区域である２階の全てのベッドの空床状態を当該ナースコール用パーソナルコンピュータに予め表示されている全病室レイアウトとともに表示させることもできる。
【００４０】
次に、転科等による患者のベッド移動、ここでは、上述の本発明の実施例による第１の動作と同様、１０１号室内でナースコール子機１ａがベッドサイドに設けられている患者、例えば、患者氏名「山田太郎」の患者が、他の看護区域である２０１号室内でナースコール子機２ｄが設けられているベッドサイドにベッド移動する際において、移動先の２０１号室に該当する看護区域と同一階である２階のナースステーション内に居る看護師がナースコール用パーソナルコンピュータ３２を利用してベッド移動処理／操作を行う場合の動作（以下、当該動作を本発明の実施例による第２の動作という。）について説明する。
【００４１】
ベッド移動させたい患者氏名「山田太郎」の患者に対するベッド移動処理／操作として、図１の構成図に示すナースコール用パーソナルコンピュータ３２のモニタ画面に、待受画面として予め表示されている図８の画面構成図に示す患者情報表示ボタン９４を、２階のナースステーション内に居る看護師（以下、この看護師を第２の看護師という。）が当該ナースコール用パーソナルコンピュータの操作機能を構成するマウス、またはタッチパネルを操作して選択すると、患者情報表示ボタン９４の表示色が変化、例えば、反転表示して患者選択が可能な状態となる。この後、ベッド移動させたい空床状態のベッド、すなわち、２０１号室内のベッド番号が「４」のベッドを、第２の看護師が上述の操作機能を利用して選択すると、ナースコール用パーソナルコンピュータ３２に表示されるモニタ画面は、図８の画面構成図に示すモニタ画面から図９の画面構成図に示すモニタ画面へ切り替わり、ベッド移動させたい患者名「山田太郎」の患者に関する患者情報を入力するためのウィンドウ９５が拡大表示される。
【００４２】
また、図１の構成図において、ナースコール用パーソナルコンピュータ３２のモニタ画面に拡大表示されている図９の画面構成図に示すウィンドウ９５の検索病棟ボタン９５ａを、第２の看護師が上述の操作機能を利用して選択すると、管理サーバ７２の選局アドレスと当該管理サーバより他の看護区域、すなわち、１階、３階、・・・の看護区域一覧情報を読み出すための制御データとを含む要求信号Ｓ５１がコンピュータ接続幹線Ｌ２０に出力される。この要求信号Ｓ５１は、コンピュータ接続幹線Ｌ２０を介してナースコール用パーソナルコンピュータ３２を除く他のナースコール用パーソナルコンピュータ３１、・・・と管理サーバ７２とにそれぞれ伝送されるが、管理サーバ７２のみ当該要求信号に含まれている選局アドレスと自端末アドレスとが一致して制御データが有効であると判断される。ここで、管理サーバ７２は、予め記憶されているゲートウェイ接続線Ｌ２２、ゲートウェイ７１、オーダリングシステム接続線Ｌ２１を介してオーダリングシステム７０より定期的に取得した全階の看護区域一覧情報のうち、要求された１階、３階、・・・の看護区域の一覧情報を読み出し、この読出データとナースコール用パーソナルコンピュータ３２の選局アドレスとを含む読出信号Ｓ６１をコンピュータ接続幹線Ｌ２０に出力する。この読出信号Ｓ６１は、コンピュータ接続幹線Ｌ２０を介して（全ての）ナースコール用パーソナルコンピュータ３１、３２、・・・にそれぞれ伝送されるが、ナースコール用パーソナルコンピュータ３２のみ当該読出信号に含まれている選局アドレスと自端末アドレスとが一致して読出データが有効であると判断されることにより、ナースコール用パーソナルコンピュータ３２のモニタ画面には、１階、３階、・・・の看護区域一覧情報（図示せず）が表示（拡大表示）される。
【００４３】
また、図１の構成図において、ナースコール用パーソナルコンピュータ３２のモニタ画面に表示（拡大表示）されている１階、３階、・・・の看護区域一覧情報（図示せず）のうち、移動元の１０１号室に該当する１階の看護区域一覧情報を、第２の看護師が上述の操作機能を利用して選択すると、図１０の画面構成図に示す患者検索用ウィンドウ９６がモニタ画面に拡大表示され、この患者検索用ウィンドウ９６の５０音キー９６ａを、第２の看護師が上述の操作機能を利用して操作し、ベッド移動させたい患者の患者氏名「山田太郎」の頭文字である「や」を選択すると、管理サーバ７２の選局アドレスと当該管理サーバより１階の看護区域内で頭文字が「や」に該当する患者情報一覧情報を読み出すための制御データとを含む要求信号Ｓ５２がコンピュータ接続幹線Ｌ２０に出力される。この要求信号Ｓ５２は、上述の要求信号Ｓ５１と同様な経路を介して伝送される伝送先のナースコール用パーソナルコンピュータ３２を除く他のナースコール用パーソナルコンピュータ３１、・・・および管理サーバ７２のうち、管理サーバ７２のみ当該要求信号に含まれている選局アドレスと自端末アドレスとが一致して制御データを有効である判断することにより、この管理サーバ７２は、予め記憶されているゲートウェイ接続線Ｌ２２、ゲートウェイ７１、オーダリングシステム接続線Ｌ２１を介してオーダリングシステム７０より定期的に取得した全階の看護区域における患者情報一覧のうち、１階の看護区域内の頭文字が「や」に該当する患者情報一覧を読み出し、この読出データとナースコール用パーソナルコンピュータ３２の選局アドレスとを含む読出信号Ｓ６２をコンピュータ接続幹線Ｌ２０に出力する。この読出信号Ｓ６２は、上述の読出信号Ｓ６１と同様な経路を介して伝送される伝送先の（全ての）ナースコール用パーソナルコンピュータ３１、３２、・・・のうち、ナースコール用パーソナルコンピュータ３２のみ当該読出信号に含まれている選局アドレスと自端末アドレスとが一致して読出データを有効である判断されることにより、ナースコール用パーソナルコンピュータ３２のモニタ画面には、頭文字「や」に該当する患者氏名を一覧表示させたウィンドウが拡大表示される。
【００４４】
また、図１の構成図において、ナースコール用パーソナルコンピュータ３２のモニタ画面に図１０の画面構成図に示すウィンドウ９６が拡大表示されている状態において、頭文字「や」に該当する患者氏名のうち、ベッド移動させたい患者の患者氏名「山田太郎」を、第２の看護師が上述の操作機能を利用して選択すると、ナースコール用パーソナルコンピュータ３２のモニタ画面は、図１０の画面構成図に示すモニタ画面から図１１の画面構成図に示すモニタ画面へ切り替わり、患者氏名「山田太郎」の患者に関する患者管理データを一覧表示させたウィンドウ９７が拡大表示される。ここで、選択した患者が既に他のベッドにおいて入院している場合、例えば、１０１号室内でベッド番号が「１」のベッドに入院している場合には、その旨の警告メッセージを含むウィンドウ９７が表示されることにより、ベッド対象となる患者を再確認し、誤操作による強制的なベッド移動を防止できる。
【００４５】
さらに、図１の構成図において、ナースコール用パーソナルコンピュータ３２のモニタ画面に図１１の画面構成図に示すウィンドウ９７が拡大表示されている状態において、このウィンドウ９７の登録ボタン９７ａを、第２の看護師が上述の操作機能を利用して選択すると、このナースコール用パーソナルコンピュータ３２のモニタ画面は、図１１の画面構成図に示すモニタ画面から図７の画面構成図に示すモニタ画面へ切り替わり、待受画面としてベッド移動させたい患者の患者氏名「山田太郎」が２０１号室内でベッド番号が「４」のベッドに該当する表示部へ自動的に追加（追加登録）されるとともに、当該ナースコール用パーソナルコンピュータは、管理サーバ７２の選局アドレスと登録データとを含む登録信号Ｓ５３をコンピュータ接続幹線Ｌ２０に出力する。この登録信号Ｓ５３は、上述の要求信号Ｓ５１、Ｓ５２と同様な経路を介して伝送される伝送先のナースコール用パーソナルコンピュータ３２を除く他のナースコール用パーソナルコンピュータ３１、・・・および管理サーバ７２のうち、管理サーバ７２のみ当該登録信号に含まれている選局アドレスと自端末アドレスとが一致することにより、登録信号Ｓ５３に含まれている登録データが管理サーバ７２に記憶されるとともに、この管理サーバ７２は、移動元の１０１号室と同一階である１階のナースステーション内に設けられたナースコール用パーソナルコンピュータ３１の選局アドレスと登録抹消データとを含む患者データ登録抹消信号Ｓ６３をコンピュータ相互接続幹線Ｌ２０に出力する。この患者データ登録抹消信号Ｓ６３は、上述の読出信号Ｓ６１、Ｓ６２と同様な経路を介して伝送される伝送先の（全ての）ナースコール用パーソナルコンピュータ３１、３２、・・・のうち、ナースコール用パーソナルコンピュータ３１のみ当該患者データ登録抹消信号に含まれている選局アドレスと自端末アドレスとが一致して登録抹消データを有効である判断することにより、ナースコール用パーソナルコンピュータ３１のモニタ画面に表示される待受画面は、図６の画面構成図に示すように、ベッド移動させたい患者の患者氏名「山田太郎」が自動的に抹消される。
【００４６】
なお、本発明の実施例による第２の動作における転科等による患者のベッド移動、ここでは、１０１号室内でナースコール子機１ａがベッドサイドに設けられている患者、例えば、患者氏名「山田太郎」の患者が、他の看護区域である２０１号室内でナースコール子機２ｄが設けられているベッドサイドにベッド移動する際において、ナースコール用パーソナルコンピュータ３２のモニタ画面に表示される移動元の患者氏名は、移動元の看護区域の全てのベッドの患者氏名の表示について氏名の頭文字等から該当する患者氏名を検索して表示させたが、これに限定されず、移動元の看護区域である１階の全てのベッドの患者氏名を当該ナースコール用パーソナルコンピュータに予め表示されている全病室レイアウトとともに表示することもできるばかりでなく、選択した特定のベッドのみを表示させることもできる。
【００４７】
【発明の効果】
以上の説明から明らかなように、本発明のナースコールシステムによれば、病院内の看護区域毎のナースコール制御機により管理されるナースコール用パーソナルコンピュータを管理サーバとともに相互にバス接続することにより、移動元の病室と同一階のナースステーション内に設けられたナースコール用パーソナルコンピュータ、または移動先の病室と同一階のナースステーション内に設けられたナースコール用パーソナルコンピュータにてベッド移動処理が可能となり、移動元のナースコール用パーソナルコンピュータのモニタ画面には移動先の空床状態が表示され、これを確認した後、ベッド移動操作が行われると、移動先のナースコール用パーソナルコンピュータに予め記憶されている全病室レイアウトにベッド移動させたい患者のデータを追加（追加登録）できる。一方、移動先のナースコール用パーソナルコンピュータのモニタ画面には移動元の患者氏名が表示され、これを確認した後、ベッド移動操作が行われると、移動元のナースコール用パーソナルコンピュータに予め記憶されている全病室レイアウトからベッド移動させたい患者のデータを削除できることにより、ベッド移動処理／操作が簡素化され、病院内の看護師による看護業務の能率が向上する。
【００４８】
また、本発明のナースコールシステムにおいて、移動元の病室と同一階のナースステーション内に設けられたナースコール用パーソナルコンピュータにてベッド移動処理／操作が行われた際に表示される空床状態は、移動先の選択した特定のベッドの空床状態のみならず、移動先の看護区域の全てのベッドの空床状態を当該ナースコール用パーソナルコンピュータに予め記憶されている全病室レイアウトとともに表示できる。
【００４９】
また、本発明のナースコールシステムにおいて、移動先の病室と同一階のナースステーション内に設けられたナースコール用パーソナルコンピュータにてベッド移動処理／操作が行われた際に表示される移動元の患者氏名は、選択した特定のベッドの患者氏名のみならず、移動元の全てのベッドの患者氏名を当該ナースコール用パーソナルコンピュータに予め記憶されている全病室レイアウトとともに表示できる。
【００５０】
さらに、本発明のナースコールシステムにおいて、移動先の病室と同一階のナースステーション内に設けられたナースコール用パーソナルコンピュータにてベッド移動処理／操作が行われた際に表示される選択した特定のベッドの患者氏名、または移動元の全てのベッドの患者氏名は、氏名の頭文字等から検索して表示できる。
【図面の簡単な説明】
【図１】本発明の実施例によるナースコールシステムを示す構成図である。
【図２】本発明の実施例によるナースコールシステムの第１の動作において、移動元の病室と同一階のナースステーション内に設けられたナースコール用パーソナルコンピュータのモニタ画面に表示されるベッド移動処理／操作前における待受画面を示す画面構成図である。
【図３】本発明の実施例によるナースコールシステムの第１の動作において、移動元の病室と同一階のナースステーション内に設けられたナースコール用パーソナルコンピュータのモニタ画面に表示されるウィンドウとして、ベッド移動させたい患者に関する患者管理データのウィンドウを示す画面構成図である。
【図４】本発明の実施例によるナースコールシステムの第１の動作において、移動元の病室と同一階のナースステーション内に設けられたナースコール用パーソナルコンピュータのモニタ画面に表示されるウィンドウとして、移動先のベッドに他の患者が予め割りあてられている旨の警告メッセージを含むウィンドウを示す画面構成図である。
【図５】本発明の実施例によるナースコールシステムの第１の動作において、移動元の病室と同一階のナースステーション内に設けられたナースコール用パーソナルコンピュータのモニタ画面に表示されるウィンドウとして、移動先のベッドに他の患者が予め割りあてられていない空床状態である旨のウィンドウを示す画面構成図である。
【図６】本発明の実施例によるナースコールシステムの第１、第２の各動作において、移動元の病室と同一階のナースステーション内に設けられたナースコール用パーソナルコンピュータのモニタ画面に表示されるベッド移動処理／操作後における待受画面を示す画面構成図である。
【図７】本発明の実施例によるナースコールシステムの第１、第２の各動作において、移動先の病室と同一階のナースステーション内に設けられたナースコール用パーソナルコンピュータのモニタ画面に表示されるベッド移動処理／操作後における待受画面を示す画面構成図である。
【図８】本発明の実施例によるナースコールシステムの第２の動作において、移動先の病室と同一階のナースステーション内に設けられたナースコール用パーソナルコンピュータのモニタ画面に表示されるベッド移動処理／操作前における待受画面を示す画面構成図である。
【図９】本発明の実施例によるナースコールシステムの第２の動作において、移動先の病室と同一階のナースステーション内に設けられたナースコール用パーソナルコンピュータのモニタ画面に表示されるウィンドウとして、ベッド移動させたい患者に関する患者情報を入力するためのウィンドウを示す画面構成図である。
【図１０】本発明の実施例によるナースコールシステムの第２の動作において、移動先の病室と同一階のナースステーション内に設けられたナースコール用パーソナルコンピュータのモニタ画面に表示されるウィンドウとして、頭文字に該当する患者氏名を一覧表示させたウィンドウを示す画面構成図である。
【図１１】本発明の実施例によるナースコールシステムの第２の動作において、移動先の病室と同一階のナースステーション内に設けられたナースコール用パーソナルコンピュータのモニタ画面に表示されるウィンドウとして、選択した患者が既に他のベッドにおいて入院している旨の警告メッセージを含むウィンドウを示す画面構成図である。
【図１２】従来例のナースコールシステムを示す構成図である。
【符号の説明】
１ａ〜１ｄ、１ｅ〜１ｈ、・・・　２ａ〜２ｄ、２ｅ〜２ｈ、・・・　・・・　・・・・・ナースコール子機
２１、２２、・・・　・・・・・ナースコール親機
３１、３２、・・・　・・・・・ナースコール用パーソナルコンピュータ
７２・・・・・管理サーバ
８１、８２、・・・　・・・・・ナースコール制御機
【図１】
2004096409.tif 000003
【図２】
2004096409.tif 000004
【図３】
2004096409.tif 000005
【図４】
2004096409.tif 000006
【図５】
2004096409.tif 000007
【図６】
2004096409.tif 000008
【図７】
2004096409.tif 000009
【図８】
2004096409.tif 000010
【図９】
2004096409.tif 000011
【図１０】
2004096409.tif 000012
【図１１】
2004096409.tif 000013
【図１２】
2004096409.tif 000014